(57)【要約】【課題】  画質調整や音質調整を好適に切り換えることのできる情報処理装置を提供する。【解決手段】  映像データを復号して映像信号を生成する復号手段と、前記復号手段が復号した映像信号に対して画質調整処理を行う画質調整手段と、ケーブルが接続可能であり、前記画質調整手段が画像調整処理を施した映像信号を外部装置に出力すると共に、該外部装置から識別情報を受信するコネクタと、前記コネクタで受信した識別情報に応じて、前記画質調整手段の画質調整処理を切り換える切換手段とを備える。【選択図】      図３
2009206995.tif 000002
【特許請求の範囲】
【請求項１】
映像データを復号して映像信号を生成する復号手段と、
前記復号手段が復号した映像信号に対して画質調整処理を行う画質調整手段と、
ケーブルが接続可能であり、前記画質調整手段が画像調整処理を施した映像信号を外部装置に出力すると共に、該外部装置から識別情報を受信するコネクタと、
前記コネクタで受信した識別情報に応じて、前記画質調整手段の画質調整処理を切り換える切換手段と
を備えることを特徴とする情報処理装置。
【請求項２】
前記画質調整手段での画質調整処理に用いるパラメータを、前記コネクタから出力する外部装置の識別情報に対応づけて記憶する記憶手段
を更に備え、
前記切換手段は、前記記憶手段に記憶された、前記コネクタで受信した識別情報に対応するパラメータを用いて、前記画質調整手段に画質調整処理を行わせること
を特徴とする請求項１記載の情報処理装置。
【請求項３】
前記記憶手段は、初期パラメータを記憶し、
前記切換手段は、前記コネクタで受信した識別情報に対応するパラメータが前記記憶手段に記憶されていない場合に、前記初期パラメータを用いて前記画質調整手段に画質調整処理を行わせること
を特徴とする請求項２記載の情報処理装置。
【請求項４】
ディスプレイと、
前記ディスプレイ及び前記コネクタに対する映像信号の出力を制御するディスプレイドライバと
を更に備え、
前記記憶手段は、前記ディスプレイ用のパラメータを記憶し、
前記切換手段は、映像信号の出力先が前記ディスプレイである場合に前記ディスプレイ用のパラメータを用いて前記画質調整手段に画質調整処理を行わせること
を特徴とする請求項２又は請求項３記載の情報処理装置。
【請求項５】
映像信号の出力先を検知する検知手段と、
前記検知手段による出力先の変化の検知に伴い、前記コネクタを介して外部装置から識別情報を取得する取得手段と
を更に備えることを特徴とする請求項２又は請求項３記載の情報処理装置。
【請求項６】
映像データを復号して映像信号を生成する復号手段と、
前記復号手段が復号した映像信号に対し、第１の画質調整処理又は第２の画質調整処理を行う画質調整手段と、
ケーブルが接続可能であり、前記画質調整手段が画質調整処理を施した映像信号を外部装置に出力すると共に、該外部装置から識別情報を受信するコネクタと
を備え、
前記画質調整手段は、前記コネクタで第１の識別情報を受信した場合に前記第１の画質調整処理を行い、前記コネクタで第２の識別情報を受信した場合に前記第２の画質調整処理を行うこと
を特徴とする情報処理装置。
【請求項７】
前記画質調整手段は、前記コネクタで第３の識別情報を受信した場合に、前記第１の画質調整処理を行うこと
を特徴とする請求項６記載の情報処理装置。
【請求項８】
音声データを復号して音声信号を生成する復号手段と、
前記復号手段が復号した音声信号に対して音質調整処理を行う音質調整手段と、
ケーブルが接続可能であり、前記音質調整手段が音質調整処理を施した音声信号を外部装置に出力すると共に、該外部装置から識別情報を受信するコネクタと、
前記コネクタで受信した識別情報に応じて、前記音質調整手段の音質調整処理を切り換える切換手段と
を備えることを特徴とする情報処理装置。
【請求項９】
前記音質調整手段での音質調整処理に用いるパラメータを、前記コネクタから出力する外部装置の識別情報に対応づけて記憶する記憶手段
を更に備え、
前記切換手段は、前記記憶手段に記憶された、前記コネクタで受信した識別情報に対応するパラメータを用いて、前記音質調整手段に音質調整処理を行わせること
を特徴とする請求項８記載の情報処理装置。
【請求項１０】
前記記憶手段は、初期パラメータを記憶し、
前記記憶手段は、前記コネクタで受信した識別情報に対応するパラメータが前記記憶手段に記憶されていない場合に、前記初期パラメータを用いて前記音質調整手段に音質調整処理を行わせること
を特徴とする請求項９記載の情報処理装置。
【発明の詳細な説明】
【技術分野】
【０００１】
本発明は、映像信号や音声信号を出力可能な情報処理装置に関する。
【背景技術】
【０００２】
近年、テレビジョン放送番組データを受信・視聴したり、ＤＶＤ（Ｄｉｇｉｔａｌ  Ｖｅｒｓａｔｉｌｅ  Ｄｉｓｋ）に格納されたＡＶ（Ａｕｄｉｏ  ａｎｄ  Ｖｉｓｕａｌ）コンテンツを再生したりする機能を有するパーソナルコンピュータが広く普及している。これにより、例えばバッテリ駆動可能なノートブック型のパーソナルコンピュータを携行すれば、移動中や外出先でも画像データを利用できるようになった。
【０００３】
また最近では、映像の高精細化が進められており、例えばＨＤ（Ｈｉｇｈ  Ｄｅｆｉｎｉｔｉｏｎ）の高精細画像データを再生可能なパーソナルコンピュータも普及し始めている。この種のパーソナルコンピュータでは、高精細映像信号を外部出力する機能を備えることもあるので、例えば在宅時には大画面の高精細テレビジョン放送受信機に再生させた高精細映像を大画面の高精細テレビジョン放送受信機で楽しむことも可能となる。
【０００４】
更に、映像データを復号して得られる映像信号に対して画質調整処理を行うことにより、画質改善を行うことも考えられている（例えば、特許文献１参照）。画質調整処理としては、例えばシャープネス処理や輝度調整等が挙げられる。
【特許文献１】特開２００４−１１２１６９号公報
【発明の開示】
【発明が解決しようとする課題】
【０００５】
しかしながら、通常、表示するディスプレイ毎に表示特性は違うので、あるディスプレイに好適な画質調整を設定していたとしても、出力先のディスプレイによっては画質が劣化することも考えられる。ディスプレイ側でユーザが設定を行って画像調整を行うことも考えられるが、出力する可能性のある全てのディスプレイに対して設定を行うのはユーザに煩雑な操作を強いることとなる。このような課題は、映像信号出力側の装置（映像データ再生装置）が可搬性の高いパーソナルコンピュータである場合にように、複数のディスプレイに表示されることが予定される場合には特に顕著となる。このような課題は、音声処理についても同様である。
【０００６】
そこで本発明は、画質調整や音質調整を好適に切り換えることのできる情報処理装置を提供することを目的とする。
【課題を解決するための手段】
【０００７】
上記目的を達成するために、請求項１記載の情報処理装置は、映像データを復号して映像信号を生成する復号手段と、前記復号手段が復号した映像信号に対して画質調整処理を行う画質調整手段と、前記画質調整手段が画像調整処理を施した映像信号を外部装置に出力すると共に、該外部装置から識別情報を受信するコネクタと、前記コネクタで受信した識別情報に応じて、前記画質調整手段の画質調整処理を切り換える切換手段とを備えることを特徴とする。
【０００８】
請求項６記載の情報処理装置は、映像データを復号して映像信号を生成する復号手段と、前記復号手段が復号信号に対し、第１の画質調整処理又は第２の画質調整処理を行う画質調整手段と、前記画質調整手段が画質調整処理を施した映像信号を外部装置に出力すると共に、該外部装置から識別情報を受信するコネクタとを備え、前記画質調整手段は、前記コネクタで第１の識別情報を受信した場合に前記第１の画質調整処理を行い、前記コネクタで第２の識別情報を受信した場合に前記第２の画質調整処理を行うことを特徴とする。
【０００９】
請求項８記載の情報処理装置は、音声データを復号して音声信号を生成する復号手段と、前記復号手段が復号した映像信号に対して音質調整処理を行う音質調整手段と、前記音質調整手段が音質調整処理を施した映像信号を外部装置に出力すると共に、該外部装置から識別情報を受信するコネクタと、前記コネクタで受信した識別情報に応じて、前記画質調整手段の画質調整処理を切り換える切換手段とを備えることを特徴とする。
【発明の効果】
【００１０】
本発明によれば、画質調整や音質調整を好適に切り換えることのできる情報処理装置を提供することができる。
【発明を実施するための最良の形態】
【００１１】
以下、本発明の情報処理装置について、図面を参照しながら説明する。
図１に、本実施形態に係る情報処理装置の一利用形態を示す。この情報処理装置１は、例えばノートブック型のパーソナルコンピュータ（ＰＣ）等として実現されている。尚、図１の例では携帯型のパーソナルコンピュータの例を示しているが、ＤＶＤ／ＨＤＤプレーヤ（再生機）であっても良い。
【００１２】
図１に示すように、ここでは、情報処理装置１を映像機器２Ａ、２Ｂとケーブル３で接続可能である場合を想定する。尚、図１の例では、映像機器２Ａは大画面の高精細テレビジョン放送受信機であり、映像機器２Ｂはプロジェクタ機器である。本実施例では、情報処理装置１は、映像機器２Ａや２Ｂと、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル３で接続されるものとする。
【００１３】
情報処理装置１には、高精細画像データを再生するソフトウェア（アプリケーションプログラム）が種々インストールされており、ＨＤＭＩケーブル３で接続することにより、これらアプリケーションプログラムが再生した高精細映像を映像機器２Ａや２Ｂで楽しむことができる。また、情報処理装置１は映像機器２Ａや２Ｂから、機器を特定するために割り当てられたユニークな識別情報を受信する。ＨＤＭＩ規格においては、例えばＥＥＩＤを識別情報として利用することができる。
【００１４】
情報処理装置１は、映像信号に対する画質調整機能（高画質化処理機能）を有しているものとする。画質調整処理としては、例えば輝度（ｂｒｉｇｈｔｎｅｓｓ）補正、コントラスト（ｃｏｎｔｒａｓｔ）補正、色相（ｈｕｅ）補正、彩度（ｓａｔｕｒａｔｉｏｎ）補正、ガンマ（ｇａｍｍａ）補正等の処理が挙げられるが、通常、映像を表示するディスプレイによって好適な画質調整処理（より具体的には、好適なパラメータ等）が異なる。よって、本実施例の情報処理装置１では、映像信号の出力先に応じて画質調整処理を切り換える。
【００１５】
ここで、図１を参照して、本実施例の情報処理装置１における映像信号の出力制御について説明する。情報処理装置１の資源管理はＯＳ（Ｏｐｅｒａｔｉｏｎ  Ｓｏｆｔ）によって一元的に行われ、このＯＳ内のモジュールであるディスプレイドライバによって、映像信号の出力先の切換等が制御される。
【００１６】
より具体的に説明すると、映像信号の出力は、ディスプレイドライバによって、例えばＬＣＤ等の内蔵ディスプレイ１５に出力されて映像表示されたり、図１（ａ）に示すように映像機器２Ａに出力されたり、その両方が行われたりする。また、図１（ｂ）に示すように、ケーブル３の接続先を変えることにより、映像機器２Ａ（図１の例では高精細テレビジョン放送受信機）とは異なる映像機器２Ｂ（図２の例ではプロジェクタ機器）等の映像機器に映像出力させることもできる。
【００１７】
図１（ａ）、（ｂ）に示すように、複数種類の映像機器に映像信号を出力することができるので、本実施例の情報処理装置１は接続先の映像機器からＥＥＩＤ等の識別情報を取得し、この識別情報に応じた画像調整処理を行う。
【００１８】
尚ここで、本実施例の情報処理装置１では、著作権保護されたＤＶＤの映像データ等を再生する際には、少なくとも該著作権保護されたデジタル映像データの再生により得られる映像信号は内蔵ディスプレイ１５又はＨＤＭＩコネクタの少なくとも一方のみに出力されるものとする。これにより、著作権保護をより好適に図ることができるようになる。更に、一方のディスプレイ用に画質調整された映像信号を他のディスプレイにも出力することによる、該他のディスプレイの映像に係る画質劣化を避けることができる。
【００１９】
尚、本実施例ではケーブル３としてＨＤＭＩケーブルを用いる場合を例に説明を行うが、映像信号を伝送可能であると共に識別情報が通信可能なケーブルであればＨＤＭＩケーブルでなくともよく、例えばＤＶＩケーブルを利用しても良い。ＤＶＩケーブルを用いる場合も、ＨＤＭＩと同様、識別情報としては例えばＥＤＩＤを用いることができる。
【００２０】
更に、識別情報はＥＤＩＤに限られるものではなく、例えばＣＯＰＰ（Ｃｅｒｔｉｆｉｅｄ  Ｏｕｔｐｕｔ  Ｐｒｏｔｅｃｔｉｏｎ  Ｐｒｏｔｏｃｏｌ）で取得したＩＤを利用しても良い。
【００２１】
図２は、本情報処理装置１の構成を示す図である。図２に示すように、本情報処理装置１は、ＣＰＵ１１、ノースブリッジ１２、主メモリ１３、グラフィックスコントローラ１４、ＶＲＡＭ１４Ａ、ディスプレイ１５、サウスブリッジ１６、ＢＩＯＳ−ＲＯＭ１７、ＨＤＤ１８、光ディスク駆動装置（ＯＤＤ）１９、サウンドコントローラ２０、スピーカ２１、エンベデッドコントローラ／キーボードコントローラ（ＥＣ／ＫＢＣ）２２、キーボード２３、タッチパッド２４、ネットワークコントローラ２５、ＨＤＭＩコネクタ２６及びＣＥＣ（Ｃｏｎｓｕｍｅｒ  Ｅｌｅｃｔｒｏｎｉｃｓ  Ｃｏｎｔｒｏｌ）コントローラ２７等を備えている。
【００２２】
ＣＰＵ１１は、情報処理装置１内の各部の動作を制御するプロセッサである。ＣＰＵ１１は、ＨＤＤ１８から主メモリ１３にロードされるオペレーティングシステム（ＯＳ）１００や、このＯＳ１００の制御下で動作する、ユーティリティ及びＡＶコンテンツデータを扱うアプリケーション（例えば、映像再生プログラム１０１）を実行する。また、ＣＰＵ１１は、ＢＩＯＳ−ＲＯＭ１７に格納された基本入出力システム（ＢＩＯＳ）も実行する。尚以下では、このＢＩＯＳ−ＲＯＭ１７に格納された基本入出力システム自体をＢＩＯＳ１７と称することがある。
【００２３】
ノースブリッジ１２は、ＣＰＵ１１のローカルバスとサウスブリッジ１６との間を接続するブリッジデバイスである。ノースブリッジ１２は、バスを介してグラフィックスコントローラ１４との通信を実行する機能を有しており、また、主メモリ１３をアクセス制御するメモリコントローラも内蔵されている。グラフィックスコントローラ１４は、本情報処理装置１側のディスプレイ１５を制御する表示コントローラである。グラフィックスコントローラ１４は、ＶＲＡＭ１４Ａに書き込まれた画像データからディスプレイ１５に送出すべき映像信号を生成する。グラフィックスコントローラ１４は、映像信号をＨＤＭＩコネクタ１６から外部出力する機能も有している。
【００２４】
サウスブリッジ１６は、ＰＣＩバス及びＬＰＣバス上の各種デバイスを制御するコントローラである。また、このサウスブリッジ１６には、ＢＩＯＳ−ＲＯＭ１７、ＨＤＤ１８、ＯＤＤ１９及びサウンドコントローラ２０が直接的に接続され、これらを制御する機能も有している。ＨＤＤ１８には、例えばテレビジョン放送番組データやインターネット経由でダウンロードされたＡＶコンテンツ等が格納され、ＯＤＤ１９には、ＡＶコンテンツデータを格納した例えばＤＶＤ等が収容される。サウンドコントローラ２０は、スピーカ２１を制御する音源コントローラである。サウンドコントローラ２０は、音声信号をＨＤＭＩコネクタ２６から外部出力する機能も有している。
【００２５】
更にＨＤＤ１８には、映像再生プログラム１０１が画質調整処理を行う際に用いるパラメータのパラメータセット情報１０２が記憶されている。これは例えば、映像信号の出力時にユーザが好適なパラメータを設定して記憶させたものであるが、これらのパラメータセットは、出力先の映像機器毎に設定／記憶される。
【００２６】
図３に、パラメータセット情報１０２の例を示す。図３の例では、出力先の映像機器のＩＤ（機器ＩＤ１、機器ＩＤ２等に対応）と、それに対応するパラメータセット（パラメータＡ１、Ｂ１、Ｃ１等、１以上のパラメータの組合せ）が対として対応付けられている。映像再生プログラム１０１は、パラメータセット情報１０２を参照し、受信した識別情報に対応するパラメータセットを利用して画質調整処理を行う。
【００２７】
尚、このパラメータセット情報１０２に含まれるパラメータの情報としては、例えば輝度（ｂｒｉｇｈｔｎｅｓｓ）、コントラスト（ｃｏｎｔｒａｓｔ）、色相（ｈｕｅ）、彩度（ｓａｔｕｒａｔｉｏｎ）、ガンマ（ｇａｍｍａ）等の設定値が挙げられる。
【００２８】
また、図３の例では、パラメータセット情報内にはデフォルトのパラメータセット（Ａ０、Ｂ０、Ｃ０、・・・）も含まれている。これは、まだユーザに好適なパラメータセットが指定されていない映像機器に映像信号を出力する際に利用されるパラメータセットである。
【００２９】
更に図３の例では、内蔵ディスプレイ１５用のパラメータセットもパラメータセット情報内に含まれている。
尚、本実施例ではユーザがパラメータセットを設定するものとして説明を行うが、これに限られるものではなく、出荷時等に予め設定されたものであっても良い。しかしながら、ユーザがカスタマイズできる方がより柔軟な対応が可能であり、更に、出力の度に何度もユーザが設定し直す必要もなくなる。
【００３０】
また、図３の例では単に映像出力先の映像機器（識別情報）のみに対応付けてパラメータセットを用意しているがこれに限られるものではなく、例えば再生される映像データとも対応付けても良い。例えば、ある特定のＤＶＤの映像データを再生して得られる映像を、機器ＩＤ１を持つ映像機器に出力する際に使用するパラメータセットを、パラメータセット情報１０２としてＨＤＤ１０２に記憶させるようにする場合が考えられる。
【００３１】
再び図２の説明に戻り、ＥＣ／ＫＢＣ２２は、電源管理のためのエンベデッドコントローラと、キーボード２３及びタッチパッド２４を制御するためのキーボードコントローラとが集積された１チップマイクロコンピュータである。ＥＣ／ＫＢＣ２２は、本情報処理装置１が電源オフ中も動作し、例えば電源オン動作が行われていないか等を監視して、電源オンすべきイベントが発生したら、情報処理装置１を起動させるための制御を実行する。ＥＣ／ＫＢＣ２２は、ＣＥＣコントローラ２７に対する電力供給も、情報処理装置１が電源オフ中も継続して実行する。
【００３２】
ネットワークコントローラ２５は、例えばインターネット等の外部ネットワークとの通信を実行する通信装置である。
ＨＤＭＩコネクタ２６は、ＨＤＭＩケーブル３を着脱自在に接続するために設けられる端子である。そして、ＣＥＣコントローラ２７は、ＥＣ／ＫＢＣ２２の制御下で、ＨＤＭＩコネクタ２６を介して動作制御用の各種コマンド（制御信号）を送受信するためのデータ転送制御を実行する。ここで送受信されるコマンドとしては、例えば、ＣＥＣコントローラ２７により受信される電源オン要求コマンド等が挙げられる。また、映像機器２Ａや２Ｂを識別するための識別情報であるＥＤＩＤもＨＤＭＩコネクタ２６で受信される。
【００３３】
図４は、このような構成の情報処理装置１において実現される、映像データの再生及び画像調整機能に関する機能ブロックを示す図である。尚、以下映像再生プログラム１０１がＯＤＤで光ディスクから読み込んだ映像データを再生するアプリケーションプログラムであるものとして説明しているが、映像データから映像信号を再生するプログラムであればよく、例えば、チューナで受信したＴＶ放送を再生するプログラムや、ＩＰ網を介して受信したＩＰＴＶ放送を再生するプログラム、ＨＤＤに録画された映像データを再生するプログラム等であっても良い。
【００３４】
例えば、データ読込部（ソースフィルタ：Ｓｏｕｒｃｅ  Ｆｉｌｔｅｒ）２０１による制御の下、ＯＤＤ１９により光ディスクから読み込まれた映像データは、復号部（ビデオデコーダ：Ｖｉｄｅｏ  Ｄｅｃｏｄｅｒ）２０２によって映像信号へと復号される。
【００３５】
出力先監視部２０３は、ディスプレイドライバ１００ａの出力先切換部２０７がＨＤＭＩコネクタ２６及びディスプレイ１５のいずれに映像信号を出力する設定となっているかを検出する。より具体的には、例えばＯＳ１００が提供する、映像信号の出力先を問い合わせるためのＡＰＩ（Ａｐｐｌｉｃａｔｉｏｎ  Ｐｒｏｇｒａｍ  Ｉｎｔｅｒｆａｃｅ）を、映像再生プログラム１０１の起動時や起動後定期的に（ポーリングで）呼び出す等の方法が考えられる。或いは、例えば出力先切換のイベントの発生を通知するように予めＯＳ１００に依頼するようにしてもよい。
【００３６】
出力先情報取得部２０４は、映像信号の出力先がＨＤＭＩコネクタ２６となっている場合に、ＨＤＭＩコネクタ２６にＨＤＭＩケーブル３で接続されている映像機器２（外部ディスプレイ）の識別情報（例えばＥＤＩＤ）を取得する。この情報は、例えば制御信号（ＣＥＣ信号）としてＨＤＭＩコネクタ２６を介して本情報処理装置１内に導かれ、ＣＥＣコントローラ２７によって受信されて、当該制御信号の受信がＥＣ／ＫＢＣ２２に通知される。この通知を受け取ると、ＥＣ／ＫＢＣ２２は、出力先情報取得部２０８宛の入力データとして、当該通知内容（映像機器２の識別情報。この他、例えば機種名、メーカー名等の情報を含んでいてもよい）を示すキーコードを発生させる。このキーコードは、ＢＩＯＳ１７を介してＯＳ１００に渡され、更にこのＯＳ１００から出力先情報取得部２０８に渡される。
【００３７】
調整切換部２０５は、復号部２０２が復号した映像信号の出力に対する画質調整機能を、出力先監視部２０３が取得した映像信号の出力先、及び、ＨＤＭＩコネクタ２６に出力している場合には出力先情報取得部２０８が取得した映像機器２の種類に応じて切り換える。より具体的には、例えば調整切換部２０５は、ＨＤＤ１８に記憶されたパラメータセット情報１０２を参照し、内蔵ディスプレイ１５に合わせて調整されたパラメータセット、映像機器２Ａ用に調整されたパラメータセット、映像機器２Ｂ用に調整されたパラメータセット、デフォルト値のパラメータセット（パラメータ未設定の映像機器用のパラメータセット）等の中から、映像信号の出力先に応じてどのパラメータセットを画質調整部２０６に使用させるかを切り換える。
【００３８】
これにより、内蔵ディスプレイ１５への出力時も、ＨＤＭＩコネクタ２６から映像信号を出力する場合にも、出力先に応じて最適化が図られたパラメータで画質調整された映像信号を出力し、出力映像の画質改善を図ることができるようになる。また、初期値を用意していることにより、たとえ初めて接続される映像機器へ映像信号を出力する場合であっても、初期値によるパラメータセットを用いた画質調整処理を行うことができるので、何ら処理しない場合と比べて、画質改善を見込むことができる。
【００３９】
画質調整制御部２０６は、復号部２０２が復号した映像信号に対して、映像切換部２０５が選択した画質調整パラメータセットでの画質調整処理を行う。この画質調整処理は、例えば輝度補正、コントラスト補正、色相補正、彩度補正、ガンマ補正等の処理（これらの処理の組合せも含む）である。
【００４０】
描画制御部２０７は、画質調整制御部２０６が画質調整を行った映像信号から、ＶＲＡＭ１４Ａに画像を書込むレンダリング処理を行う。
ディスプレイドライバ１００ａはＯＳ１００の制御下においてグラフィックスコントローラ１４を駆動制御する。またディスプレイドライバ１００ａは、映像信号の出力先を切り換えるための出力先切換部２０８を有している。ディスプレイドライバ１００ａは、出力先切換部２０８で、描画制御部２０７から出力された（ＶＲＡＭ１４Ａに一次記憶されている）画像の映像信号の出力先を内蔵ディスプレイ１５及びＨＤＭＩコネクタ２６のいずれとするかを切り換える。
【００４１】
図５は、本実施例の情報処理装置１が実行する映像再生プログラム１０１の画質調整機能制御の動作手順を示すフローチャートである。
映像再生プログラム１０１が起動されると（Ｓ５０１）、出力先監視部２０３は映像信号の出力先の設定が内蔵ディスプレイ１５及びＨＤＭＩコネクタ２６のいずれとなっているかをＯＳ１００に問い合わせる（Ｓ５０２）。もし出力先がＨＤＭＩコネクタ２６となっていれば（Ｓ５０２のＹｅｓ）、出力先情報取得部２０４は、ＨＤＭＩコネクタ２６に接続されている映像機器２の識別情報を取得する（Ｓ５０３）。
【００４２】
調整切換部２０５は、取得した識別情報に対応付けられたパラメータセットがパラメータセット情報１０２として登録されているか否かを確認し（Ｓ５０４）、登録されていれば（Ｓ５０４のＹｅｓ）、画質調整制御部２０６は、そのパラメータセットによる画質調整処理を行う（Ｓ５０５）。もしパラメータセット情報１０２内に、取得した識別情報に対応するパラメータセットが登録されていなければ（Ｓ５０４のＮｏ）、画質調整制御部２０６は、デフォルトのパラメータセットによる画質調整処理を行う（Ｓ５０６）。尚、パラメータセットが定義されていない場合（デフォルトのパラメータセットを使用する場合）には、好適なパラメータセットが未だ設定されていない旨のメッセージを作成して映像／音声として出力するようにしても良い。
【００４３】
ディスプレイドライバ１００ａは、この画質調整制御部２０６で映像調整処理を行った映像信号をＨＤＭＩコネクタ２６へ出力する（Ｓ５０７）。このとき本実施例では、映像信号（著作権保護されたデジタル映像データ再生により得られる映像信号）の内蔵ディスプレイ１５への出力は行わない。
【００４４】
一方、Ｓ５０２で出力先が内蔵ディスプレイ１５となっていれば（Ｓ５０２のＮｏ）、調整切換部２０５は、内蔵ディスプレイ１５に合わせて調整された画質調整パラメータセットを選択し、画質調整制御部２０６は、このパラメータセットによる画質調整処理を行う（Ｓ５０８）。ディスプレイドライバ１００ａは、この画質調整処理を施した映像信号を内蔵ディスプレイ１５へ出力する（Ｓ５０９）。このとき本実施例では、映像信号（著作権保護されたデジタル映像データ再生により得られる映像信号）のＨＤＭＩコネクタ２６への出力は行わない。
【００４５】
Ｓ５０７又はＳ５０９での映像信号の出力開始後、出力先監視部２０３が映像信号の出力先が変わったことを検出すると（Ｓ５１０のＹｅｓ）、Ｓ５０２へ戻って画質調整処理の切換を行う。
【００４６】
映像信号の出力先が切り換わっておらず（Ｓ５１０のＮｏ）、映像再生プログラム１０１が終了していない（Ｓ５１１のＮｏ）場合には、Ｓ５１０で出力先監視部２０３は映像信号出力先の監視を継続する。
【００４７】
以上説明したように、本実施例によれば、映像信号の出力先が内蔵ディスプレイ１５であるかＨＤＭＩコネクタ２６であるかに応じて、また、出力先がＨＤＭＩコネクタ２６である場合には、映像機器２の種類に応じて、画質調整処理を切り換えるようにしている。これにより、内蔵ディスプレイや、其々の映像機器２に好適に調整した画質調整処理で画質改善を行った映像を表示することができるようになる。
【００４８】
尚、上述の例では映像データ／映像信号の処理について説明を行ったが、音声データ／音声信号の処理であっても同様に処理を行うことができる。
【図面の簡単な説明】
【００４９】
【図１】本発明の実施例１に係る情報処理装置の利用形態を示す図。
【図２】本発明の実施例１に係る情報処理装置の構成を示す図。
【図３】本発明の実施例１に係る情報処理装置が記憶するパラメータセット情報の例を示す図。
【図４】本発明の実施例１に係る情報処理装置において実現される画質調整機能に関する機能ブロックを示す図。
【図５】本発明の実施例１に係る情報処理装置の画質調整機能制御の動作手順を示すフローチャート。
【符号の説明】
【００５０】
１・・・情報処理装置
２、２Ａ、２Ｂ・・・映像機器
３・・・ＨＤＭＩケーブル
１１・・・ＣＰＵ
１２・・・ノースブリッジ
１３・・・主メモリ
１４・・・グラフィックスコントローラ
１５・・・ディスプレイ
１６・・・サウスブリッジ
１７・・・ＢＩＯＳ−ＲＯＭ
１８・・・ＨＤＤ
１９・・・ＯＤＤ
２０・・・サウンドコントローラ
２１・・・スピーカ
２２・・・エンベデッドコントローラ／キーボードコントローラ
２３・・・キーボード
２４・・・タッチパッド
２５・・・ネットワークコントローラ
２６・・・ＨＤＭＩコネクタ
２７・・・ＣＥＣコントローラ
１００・・・ＯＳ
１００ａ・・・ディスプレイドライバ
１０１・・・映像再生プログラム
１０２・・・パラメータセット情報
２０１・・・データ読込部（ソースフィルタ）
２０２・・・復号部（ビデオデコーダ）
２０３・・・出力先監視部
２０４・・・出力先情報取得部
２０５・・・出力先切換部
２０６・・・画質調整制御部
２０７・・・描画制御部
２０８・・・出力先切換部
【図１】
2009206995.tif 000003
【図２】
2009206995.tif 000004
【図３】
2009206995.tif 000005
【図４】
2009206995.tif 000006
【図５】
2009206995.tif 000007